(57)【要約】  本発明に基づいたバッテリケースカバーはバッテリケースカバーの構成要素である還水部、セル分離部、ガス流入部を底面に一体に形成させると共に、パイプ形の還水部、ベントキャップ方式を導入したガス流入部を通じて単一工程で生産が行われるようにしている。これに従って、その構造及び生産が容易になり、併せて、各構成要素が一体に形成された単層構造により耐久が増加して製品の信頼度を向上させることができるばかりでなく、スマートな外観を提供する効果がある。
2010506356.tif 000002
【特許請求の範囲】
【請求項１】
電解液を使用するバッテリケースカバーにおいて、
上記バッテリケースのセル分離部に対応されるように底面に上記ケースカバーと一体に形成されたセル分離部と；
上記ケースカバーの底面1側面から他の側面まで上記セル分離部を貫通して上記ケースカバー及び上記セル分離部と一体に形成されるパイプ形の還水部と；
上記セル分離部によって形成されたセル毎に少なくとも一つ以上が上記還水部と一体に形成され、上記バッテリ内部で生成されたガスが流入されるガス流入部を含むことを特徴とするバッテリケースカバー。
【請求項２】
上記還水部は、上記ガス流入部が位置しない所定部位の底面にホールが形成されていることを特徴とする請求項1に記載のバッテリケースカバー。
【請求項３】
上記還水部の両終端には、防爆フイルター部が配置されることを特徴とする請求項1に記載のバッテリケースカバー。
【請求項４】
上記防爆フイルター部は、上記還水部の両終端に締結されるフイルターハウジングと；上記フイルターハウジングの内部に配置される防爆フイルターを含むことを特徴とする請求項３に記載のバッテリケースカバー。
【請求項５】
上記カバーの上面には、取っ手を収納することができる取っ手収納部が形成されることを特徴とする請求項１に記載のバッテリケースカバー。
【請求項６】
上記ガス流入部は、下部が下に向くようにしてＴ形に上記還水部に一体に形成されることを特徴とする請求項１に記載のバッテリケースカバー。
【請求項７】
上記ガス流入部は、内部が迷路構造になっていることを特徴とする請求項６に記載のバッテリケースカバー。
【請求項８】
上記ガス流入部の底面は、閉鎖されており、側面の下部にホールが形成されていることを特徴とする請求項６または７に記載のバッテリケースカバー。
【請求項９】
上記ガス流入部の底面は、生産時開放された構造であり、生産後一定圧力によって閉鎖されるベントキャップ方式に形成されることを特徴とする請求項8に記載のバッテリケースカバー。
【発明の詳細な説明】
【技術分野】
【０００１】
本発明はバッテリケースカバーに関するものであって、より詳しく説明すれば、電解液を使用するバッテリの電槽部を覆うバッテリケースカバーに関するものである。
【背景技術】
【０００２】
バッテリ(電池)は、1次電池と充放電が可能な2次電池に分けるが、その中で大容量のバッテリは、電解液を使用する構造になっている。
【０００３】
このような電解液は液体として、いくつかの保安装置が設けられなければならない。先ず、電解液が外部へ漏れてはならないし、化学反応によって発生されるガスは爆発防止のために、外部へ放出させなければならない。このような役割は電解液が盛られる電槽(バッテリケース)を覆うバッテリケースカバーが遂行するようになる。
【０００４】
図１は、従来のバッテリケースカバーが具備されたバッテリを表した斜視図である。図1を参照してよく見ると、従来のバッテリは大きく、電解液が充填される電槽130と、電槽130を覆うバッテリケースカバー140からなっている。
【０００５】
バッテリケースカバー140は端子50、取っ手収納部40が形成されている下部カバー110と、上部カバー120の二重構造になっている。
【０００６】
図2は、従来のバッテリケースカバーの平面図であって、上部カバー120と下部カバー110とを分離した状態を示している。
【０００７】
下部カバー110は前で言及した、端子50、取っ手の収納部40の外にも、上部カバー120で覆われていた部分に還水口111と電槽に形成されたセルに合わせて隔壁113が具備されており、上部カバー120の底面は図3に示されたように隔壁113に対応される隔壁、還水口111を通じて流入される排気ガスは排出させ、電解液は通過させない防爆フイルター129が具備されている。防爆フイルター129は外部の発火にバッテリケース内部の排気ガス及び電解液が反応しないようにする役割も兼ねてバッテリの爆発危険を防止する。
【０００８】
このような構造の従来のバッテリケースカバーの断面を図4を参照して検討すると、浮き上がっている還水口111の周辺を上部カバー120が覆って迷路構造を成していることが分かるが、これは還水口111を通じて流入される電解液が上記上下部カバーが締結されて形成される一定空間である還水部125へ電解液が容易に流入されるのを防止するためである。また、下部に位置した還水口は還水部125へ流入された電解液を電槽へ戻すために配置されている。
【０００９】
このように従来のバッテリケースカバーは電解液の容易な流入防止、排気ガスの排出、爆発防止、還水部へ流入された電解液の還元等を考慮して上記カバー内部を構成すべき理由として、上部と下部の2層構造で製作がなっている実情である。
【００１０】
しかし、このような2層構造のバッテリケースカバーは、上部と下部の各々に該当する工程と、上記上部と下部カバーの締結のための工程等が必要であるので、生産性が低下される問題点があった。
【発明の概要】
【発明が解決しようとする課題】
【００１１】
本発明は、上記のような問題点を改善するために創出されたものであって、容易な生産が可能な単層構造のバッテリケースカバーを提供することを目的とする。
【課題を解決するための手段】
【００１２】
上記の目的を達成するために、本発明は電解液を使用するバッテリケースカバーにおいて、上記バッテリケースのセル分離部に対応されるように底面に上記ケースカバーと一体に形成されたセル分離部と；上記ケースカバーの底面の一側面において他の側面まで上記セル分離部を貫通して上記ケースカバー及び上記セル分離部と一体に形成されるパイプ形の還水部と；上記セル分離部によって形成されたセル毎に少なくとも一つ以上が上記還水部と一体に形成され、上記バッテリ内部で生成されたガスが流入されるガス流入部を含むことを特徴とする。
【００１３】
ここで、上記還水部は上記ガス流入部が位置しない所定部位底面にホールが形成されることが好ましく、上記還水部の両終端には防爆フイルター部が配置されることが好ましい。
【００１４】
さらに、上記カバーの上面には取っ手を収納できる取っ手収納部が形成されることが好ましい。
【００１５】
上記ガス流入部は下部が下に向くようにしてT形に上記還水部に一体に形成されることが好ましく、この時、上記ガス流入部は内部が迷路構造になっていることが好ましい。ここで、上記ガス流入部の底面は閉鎖されており、側面下部にホールが形成されていることが好ましく、上記ガス流入部の底面は生産のとき開放された構造であり、生産後一定圧力によって閉鎖されるベントキャップ(vent-cap)方式に形成されることが好ましい。
【図面の簡単な説明】
【００１６】
【図１】従来のバッテリケースカバーが具備されたバッテリを示した斜視図である。
【図２】従来のバッテリケースカバーの平面図である。
【図３】従来のバッテリケースカバーの2層構造において上部カバーの底面を示した概略図である。
【図４】図2の断面図である。
【図５】本発明の好ましき一実施例によるバッテリケースカバーを示した斜視図である。
【図６】図５の底面を示した図である。
【図７】本発明の好ましき一実施例によるバッテリケースカバーのガス流入部を示した斜視図である。
【図８】図５の断面図である。
【図９】本発明の好ましき一実施例によるバッテリケースカバーの一部断面斜視図である。
【図１０】本発明の好ましき一実施例によるバッテリケースカバーが締結されたバッテリの断面図である。
【図１１】図10の斜視図である。
【発明を実施するための形態】
【００１７】
以下、添付された図面を参照しながら本発明の好ましき一実施例を詳しく説明する。
【００１８】
図５は本発明の好ましき一実施例によるバッテリケースカバーを示した斜視図であり、図６は図5の底面を示した図である。図5及び図6を参照するに、本実施例によるバッテリケースカバー200はバッテリケースのセル分離部に対応されるように底面にバッテリケースカバー200と一体に形成されたセル分離部230と；上記ケースカバーの底面1側面から他の側面まで上記セル分離部を貫通して上記ケースカバー及び上記セル分離部と一体に形成されるパイプ形の還水部270と；上記セル分離部によって形成されたセル毎に少なくとも一つ以上が上記還水部と一体に形成され、上記バッテリ内部で生成されたガスが流入されるガス流入部210が形成されていることが分かる。
【００１９】
セル分離部230はバッテリケース本体に電解液が盛られたセルを多層に構成する構造で形成されるケースの隔壁(セル分離部)に対応して締結が行われる部位であって、上記バッテリケースの隔壁との締結を容易にするためにガイドが形成されていることが好ましい。
【００２０】
還水部270はバッテリ内部の電解液の化学反応によって発生される排気ガスの通路となる部位であって、パイプ形に形成され内部洞孔が上記排気ガスの通路となる。また、上記還水部は衝撃や傾き等で電解液バッテリケースカバーに到達する場合、直接的に防爆フイルターに上記電解液が触れないようにする緩衝役割も兼ねるようになる。上記還水部の両終端には防爆フイルター部290が配置されバッテリ内部の排気ガスは排出させ、電解液の流出は防ぐようになっている。また、上記防爆フイルター部は外部の熱火が内部へ進入できないようにしてバッテリの爆発を防止する役割も遂行する。上記防爆フイルター部は上記還水部の両終端に締結されるフイルターハウジング293と；上記フイルターハウジングの内部に配置される防爆フイルター291で区分され防爆フイルター部の堅固な締結を図ると共に、外部から流入される加害要素から上記防爆フイルターを保護させることが好ましい。
【００２１】
ガス流入部210はバッテリ内部で発生される排気ガスが流入される部位であって、上記排気ガスの流入のために所定のホール還水口が形成されている。
【００２２】
一方、還水部270はガス流入部210が位置しない所定部位の底面に別途のホールを形成させることもできるが、これはセル分離部230、還水部270およびガス流入部210が一体に形成されている本実施例によるバッテリケースカバーを1段階の工程で製作するためである。勿論、別途のホール無しにも該工程は可能であるが、これは、精巧な作業を要するようになり、上記ホールを形成して還水口として作用するようにする目的もある。
【００２３】
一方、本実施例によるバッテリケースカバーの上面には従来のように端子250と取っ手の収納部240が形成されていることが好ましい。
【００２４】
図7は、本発明の好ましき一実施例によるバッテリケースカバーのガス流入部を示した斜視図である。図7は、ガス流入部210が一体に連結された還水部270の両端を切断した状態であって、検討して見ると、ガス流入部210の下部が下に向くように(図7はカバーを裏返した状態)してＴ形に上記還水部に一体に連結されていることが分かる。
【００２５】
ガス流入部210は内部が迷路構造(図示しない)で形成され、上記ガス流入部の底面は閉鎖されていることが好ましい。この場合、排気ガス流入のための還水口211が側面下部に形成されていることが好ましく、この時、ガス流入部の底面は生産のとき開放された構造であり、生産後、一定な圧力によって閉鎖されるベントキャップ213方式にして、製作が容易にすることが好ましい。
【００２６】
これを通じて、製作工程では上記ガス流入部を単一工程に形成させるようになり、追後、キャップ213に圧力を加える単純工程を通じて、上記ガス流入部の底面は閉鎖される。
【００２７】
上記ガス流入部に形成された還水口211を通じて望まなかった電解液が流入される場合、上記ガス流入部の内部に形成された迷路によって電解液が還水部270へ直接流入される経路が遮断される。
【００２８】
また、前で言及したように、還水部270でガス流入部210が配置された位置の他に、別途の還水口273を形成させ、還水口の役割を兼ねると共に、単一工程でバッテリケースカバーを製作することを容易にする。
【００２９】
図8は本発明の好ましき一実施例によるバッテリケースカバーの断面図であって、検討して見ると、排気ガス及び流入された電解液の通路となる還水部270と、上記還水部と一体であり、下方向に連結されているガス流入部210とセルを分けるケース(電槽)の隔壁に締結されるセル分離部230からなっていることが分かる。
【００３０】
このような構造における排気ガス流動は細い点線のように成るようになり、電解液はガス流入部に形成された還水口211を通じて流入されても、迷路構造により還水部までの到達を難しくなるようになっている。勿論、バッテリの傾きが甚だしい場合、上記還水部に形成された還水口273を通じて流入されることもできるが、還水部に形成された還水口が上記ガス流入部より高い位置に形成されるという点、還水口の形成方向が電解液の位置と反対となる(向かい合う)方向であるとの点、上記還水部内の気圧の影響を受けるという点によって、その流入量は微々である。また、一定量の電解液が流入された場合であるといえども、上記還水部に形成された還水口を通じて再び電槽へ還水される。
【００３１】
一方、上記還水部は望まない理由で流入された電解液がある場合、上記還水部内部の下部に流れるように(重力による)して、実際に排出を図る排気ガスは上記還水部内部の上部を沿って流動するように誘導する。
【００３２】
上記還水部の両終端には前で言及した防爆フイルター291とフイルターハウジング293から成る防爆フイルター部が締結される。
【００３３】
上記ガス流入部の迷路215は、上記ガス流入部の内部で還水部270底面の該当部位を浮きあがるようにして形成するものであって、このように構造を形成するとき、特に上記還水部に形成された還水口273を利用した製作工程が要求される。迷路215自体が迷路構造をなすものではなく、上記迷路を取り囲む上記ガス流入部の内壁と相互連動して迷路構造となるのである。
【００３４】
第９は本発明の好ましき一実施例によるバッテリケースカバーの一部断面斜視図であって、これを通じて前で説明した図面等の連関関係を明らかに表したものであり、このようなバッテリケースカバーをバッテリケース(電槽)に装着した状態の断面図及び斜視図を図10及び11に示した。
【００３５】
バッテリケース(電槽)300のセル分離部(隔壁)310に対応されるよう底面にケースカバー200と一体に形成されたセル分離部230及び上記セル分離部との締結を容易にするためのガイド231と；上記ケースカバー底面の一側面から他の側面まで上記セル分離部を貫通して上記ケースカバー及び上記セル分離部と一体に形成されるパイプ形の還水部270と；上記セル分離部によって形成されたセル毎に少なくとも一つ以上が上記還水部と一体に形成され、上記バッテリ内部で生成されたガスが流入されるガス流入部210からなるバッテリケースカバー200がバッテリケース(電槽)300に締結されており、その外観は従来の2層構造に比べて簡潔になることが分かる。
【産業上の利用可能性】
【００３６】
以上で説明したとおり、本発明に基づいたバッテリケースカバーはバッテリケースカバーの構成要素である還水部、セル分離部、ガス流入部を底面に一体に形成させると共に、パイプ形の還水部、ベントキャップ方式を導入したガス流入部を通じて単一工程で生産が行われるようにしている。
【００３７】
これによって、該構造及び生産が容易であり、併せて、各構成要素が一体に形成された単層構造によって耐久が増加して製品の信頼度を向上させることができるばかりでなく、スマートな外観を提供する効果がある。
【符号の説明】
【００３８】
140、200  バッテリケースカバー
130、300  電槽(バッテリケース)
110  下部カバー
120  上部カバー
113  隔壁
111、211、273  還水口
50、250  端子
40、240  取っ手収納部
129、291  防爆フイルター
125、270  還水部
293  フイルターハウジング
290  防爆フイルター部
210  ガス流入部
230  セル分離部
213  キャップ
215  迷路
310  セル分離部(隔壁)
【図１】
2010506356.tif 000003
【図２】
2010506356.tif 000004
【図３】
2010506356.tif 000005
【図４】
2010506356.tif 000006
【図７】
2010506356.tif 000007
【図８】
2010506356.tif 000008
【図９】
2010506356.tif 000009
【図１０】
2010506356.tif 000010
【図１１】
2010506356.tif 000011
【図５】
2010506356.tif 000012
【図６】
2010506356.tif 000013
【国際調査報告】
2010506356.tif 000014
2010506356.tif 000015